【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  入力された飛び越し走査による画素信号における動き情報を処理する動き情報処理方法において、
２つのフィールドにおける同一位置の画素信号の差分情報に基づいて、注目画素が動画か静止画かを示す動き情報を検出する検出工程、
注目フィールドより前の過去フィールドにおける注目画素の動き情報を保持する保持工程、
前記注目フィールドにおける、複数の隣接画素からなり前記注目画素を含む領域内に、動き情報が動画を示す動画画素が所定数以上存在するか否かを判定する判定工程、および
前記判定工程により動画画素が所定数以上存在しないと判定された場合は、前記検出工程により検出された前記注目フィールドにおける前記注目画素の動き情報を出力し、前記判定工程により動画画素が所定数以上存在すると判定された場合は、前記検出工程により検出された前記注目フィールドにおける前記注目画素の動き情報と、前記保持工程により保持された前記過去フィールドにおける前記注目画素と同位置にある注目画素の動き情報とに基づいて、動き情報を決定して出力する出力工程を有することを特徴とする動き情報処理方法。
【請求項２】  さらに、それぞれ前記出力工程により出力された、補間画素と同じフィールド内の隣接位置にある少なくとも２つの注目画素の動き情報に基づいて、該補間画素の動き情報を決定する工程を含む請求項１記載の動き情報処理方法。
【請求項３】  前記複数の隣接画素は、水平ライン又は垂直ラインを構成する一部又は全ての画素からなる請求項１記載の動き情報処理方法。
【請求項４】  前記複数の隣接画素は、隣接する複数の水平ライン又は垂直ラインを構成する一部又は全ての画素からなる請求項１記載の動き情報処理方法。
【請求項５】  さらに、前記出力工程により出力された、補間画素とは別の隣接フィールド内の同位置にある注目画素の動き情報に基づいて、該補間画素の動き情報を決定する工程を含む請求項１又は２に記載の動き情報処理方法。
【請求項６】  前記出力工程は、前記判定工程により動画画素が所定数以上存在すると判定された場合において、前記検出工程により検出された前記注目フィールドにおける前記注目画素の動き情報と、前記保持工程により保持された前記過去フィールドにおける前記注目画素と同位置にある注目画素の動き情報と、前記注目フィールドの隣接フィールド内における前記注目画素と隣接位置にある２つの注目画素の動き情報に基づいて、前記注目画素の動き情報を決定して出力する請求項１記載の動き情報処理方法。
【請求項７】  前記出力工程は、前記判定工程により動画画素が所定数以上存在すると判定された場合において、前記検出工程により検出された前記注目フィールドにおける前記注目画素の動き情報と、該注目フィールドより２フィールド前における前記注目画素と同位置にある注目画素の動き情報と、該注目フィールドより１フィールド前における前記注目画素と隣接位置にある２つの注目画素の動き情報とに基づいて、前記注目画素の動き情報を決定して出力する請求項１記載の動き情報処理方法。
【請求項８】  飛び越し走査による映像情報を順次走査による映像情報に変換する動き適応型のＩＰ変換方法において、
２つのフィールドにおける同一位置の画素信号の差分情報に基づいて、注目画素が動画か静止画かを示す動き情報を検出する検出工程、
注目フィールドより前の過去フィールドにおける注目画素の動き情報を保持する保持工程、
前記注目フィールドにおける、複数の隣接画素からなり前記注目画素を含む領域内に、動き情報が動画を示す動画画素が所定数以上存在するか否かを判定する判定工程、
前記判定工程により動画画素が所定数以上存在しないと判定された場合は、前記検出工程により検出された前記注目フィールドにおける前記注目画素の動き情報を出力し、前記判定工程により動画画素が所定数以上存在すると判定された場合は、前記検出工程により検出された前記注目フィールドにおける前記注目画素の動き情報と、前記保持工程により保持された前記過去フィールドにおける前記注目画素と同位置にある注目画素の動き情報とに基づいて、動き情報を決定して出力する出力工程、
それぞれ前記出力工程により出力された、補間画素と同一位置で前フィールド及び後フィールドにある２つの注目画素の動き情報と、該補間画素と同一フィールド内にあり隣接位置にある２つの注目画素の動き情報と、に基づいて前記補間画素の動き情報を求める補間画素動き情報決定工程、および
前記補間画素の動き情報に基づいて、前記補間画素の画素信号の補間値を決定する補間値決定工程を含むことを特徴とする動き適応型のＩＰ変換方法。
【請求項９】  前記補間値決定工程において、前記補間画素の動き情報が動画を示す場合には、前記補間画素と同一フィールド内にあり隣接位置にある２つの参照画素の画素信号から前記補間画素の画素信号の値を求め、前記補間画素の動き情報が静止画を示す場合には、前記補間画素と同一位置で前フィールド及び後フィールドにある２つの参照画素の画素信号の少なくとも何れか一方から前記補間画素の画素信号の補間値を求める請求項８記載の動き適応型のＩＰ変換方法。
【請求項１０】  入力された飛び越し走査による画素信号における動き情報を処理するための動き情報処理装置において、
２つのフィールドにおける同一位置の画素信号の差分情報に基づいて、注目画素が動画か静止画かを示す動き情報を検出する検出部と、
注目フィールドより前の過去フィールドにおける注目画素の動き情報を保持する記憶部と、
前記注目フィールドにおける、複数の隣接画素からなり前記注目画素を含む領域内に、動き情報が動画を示す動画画素が所定数以上存在するか否かを判定する判定部と、
前記判定部により動画画素が所定数以上存在しないと判定された場合は、前記検出部により検出された前記注目フィールドにおける前記注目画素の動き情報を出力し、前記判定部により動画画素が所定数以上存在すると判定された場合は、前記検出部により検出された前記注目フィールドにおける前記注目画素の動き情報と、前記記憶部により保持された前記過去フィールドにおける前記注目画素と同位置にある注目画素の動き情報とに基づいて、動き情報を決定して出力する出力部とを備えることを特徴とする動き情報処理装置。
【請求項１１】  飛び越し走査による映像情報を順次走査による映像情報に変換する動き適応型のＩＰ変換装置において、
２つのフィールドにおける同一位置の画素信号の差分情報に基づいて、注目画素が動画か静止画かを示す動き情報を検出する検出部と、
注目フィールドより前の過去フィールドにおける注目画素の動き情報を保持する記憶部と、
前記注目フィールドにおける、複数の隣接画素からなり前記注目画素を含む領域内に、動き情報が動画を示す動画画素が所定数以上存在するか否かを判定する判定部と、
前記判定部により動画画素が所定数以上存在しないと判定された場合は、前記検出部により検出された前記注目フィールドにおける前記注目画素の動き情報を出力し、前記判定部により動画画素が所定数以上存在すると判定された場合は、前記検出部により検出された前記注目フィールドにおける前記注目画素の動き情報と、前記記憶部により保持された前記過去フィールドにおける前記注目画素と同位置にある注目画素の動き情報とに基づいて、動き情報を決定して出力する出力部と
それぞれ前記出力部から出力された、補間画素と同じフィールド内の隣接位置にある少なくとも２つの注目画素の動き情報に基づいて、該補間画素の動き情報を求め、前記補間画素の動き情報に基づいて、前記補間画素の画素信号の補間値を決定する決定部とを備えることを特徴とする動き適応型のＩＰ変換装置。
【手続補正２】
【補正対象書類名】明細書
【補正対象項目名】００１０
【補正方法】変更
【補正の内容】
【００１０】
しかしながら、減衰係数が乗算されるものの、あるフィールドにおいて、入力された映像情報が静止画に切り替った場合にも、過去のフィールドにおいて検出された動画としての動き情報が影響を及ぼすため、あるフィールドにおいて静止画として補間値を算出すべきところ、動画として算出された補間値成分が加算されることとなり、動画としての補間値成分がほぼ零となるまで、正確な画像再生が困難となる。
本発明は上記課題に鑑みてなされたものであり、本発明の目的は、誤表示を抑制し正確な画像再生が可能となる動き情報処理装置及び方法を提供することにある。
本発明の別の目的は、動画と静止画が切り替った際の本来動画として処理されるべき補間画素での動き情報が静止画として処理されてしまうということを回避するとともに、動画から静止画に切り替った際に、速やかに静止画用の補間処理に移行することができる、動き適応型のＩＰ変換における動き情報処理装置及び方法を提供することにある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
【課題を解決するための手段】
本発明の動き情報処理方法は、２つのフィールドにおける同一位置の画素信号の差分情報に基づいて、注目画素が動画か静止画かを示す動き情報を検出する検出工程、注目フィールドより前の過去フィールドにおける注目画素の動き情報を保持する保持工程、注目フィールドにおける、複数の隣接画素からなり注目画素を含む領域内に、動き情報が動画を示す動画画素が所定数以上存在するか否かを判定する判定工程、および判定工程により動画画素が所定数以上存在しないと判定された場合は、検出工程により検出された注目フィールドにおける注目画素の動き情報を出力し、判定工程により動画画素が所定数以上存在すると判定された場合は、検出工程により検出された注目フィールドにおける注目画素の動き情報と、保持工程により保持された過去フィールドにおける注目画素と同位置にある注目画素の動き情報とに基づいて、動き情報を決定して出力する出力工程を有することを特徴とする。
【手続補正６】
【補正対象書類名】明細書
【補正対象項目名】００１４
【補正方法】変更
【補正の内容】
【００１４】
また、本発明の動き情報処理装置は、２つのフィールドにおける同一位置の画素信号の差分情報に基づいて、注目画素が動画か静止画かを示す動き情報を検出する検出部と、注目フィールドより前の過去フィールドにおける注目画素の動き情報を保持する記憶部と、注目フィールドにおける、複数の隣接画素からなり注目画素を含む領域内に、動き情報が動画を示す動画画素が所定数以上存在するか否かを判定する判定部と、判定部により動画画素が所定数以上存在しないと判定された場合は、検出部により検出された注目フィールドにおける注目画素の動き情報を出力し、判定部により動画画素が所定数以上存在すると判定された場合は、検出部により検出された注目フィールドにおける注目画素の動き情報と、記憶部により保持された過去フィールドにおける注目画素と同位置にある注目画素の動き情報とに基づいて、動き情報を決定して出力する出力部とを備えることを特徴とする。
【手続補正７】
【補正対象書類名】明細書
【補正対象項目名】００１７
【補正方法】変更
【補正の内容】
【００１７】
注目画素の動き情報を検出するための動き情報検出部１４は、２つのフィールドそれぞれにおける同一位置の画素である画素（Ａ）、画素（Ｂ）それぞれの画素信号の差分情報（Ａ−Ｂ）に基づいて、画素（Ａ）の動き情報（α）を検出する。
【手続補正８】
【補正対象書類名】明細書
【補正対象項目名】００２７
【補正方法】変更
【補正の内容】
【００２７】
検出工程Ｓ１では、２つのフィールドにおける同一位置の画素信号の差分情報に基づいて、各フィールド毎に注目フィールドにおける注目画素の動き情報を検出する。
判定工程Ｓ２では、注目フィールド内において、前述した領域内に、動画画素が所定数以上存在するか否かを判定する。
【手続補正９】
【補正対象書類名】明細書
【補正対象項目名】００３８
【補正方法】変更
【補正の内容】
【００３８】
入力される映像信号をライン単位で記憶しておくためのライン信号記憶部４から出力された映像信号と入力された映像信号とは、加算演算を行う加算器７により加算され、その値の半分の値を除算器８により求める。補間信号選択部９は、動き情報生成部３からの動き情報に応じ、フィールド信号記憶部１から出力される、現在入力されているフィールドよりも１フィールド前に入力された映像信号と、除算器８から出力される、補間画素の上下のラインに位置する画素値の平均値と、のいずれかを選択して補間画素値とする。入出力速度変換部５、６は、補間情報選択部９から出力される補間画素の映像信号と入力された映像信号とをそれぞれライン単位で記憶し、記憶された映像信号を入力された映像信号の２倍の速さで読み出す。表示信号選択部１０は、入出力速度変換部５、６から出力される映像信号を１ライン毎に切り替えて交互に出力する。
【手続補正１０】
【補正対象書類名】明細書
【補正対象項目名】０１２９
【補正方法】削除
【補正の内容】
【手続補正１１】
【補正対象書類名】明細書
【補正対象項目名】０１３０
【補正方法】削除
【補正の内容】
【手続補正１２】
【補正対象書類名】明細書
【補正対象項目名】０１３１
【補正方法】削除
【補正の内容】